(57)【要約】【課題】表面処理によって光沢化処理されるべき面を一方の片面のみに備える記録媒体Ｐに両面印刷する場合に、印刷順序の変更により種々の印刷パターンに対応することができ、効率よく各種パターンのロット印刷を可能にした画像形成装置を提供する。【解決手段】表面処理によって光沢化処理されるべき面を一方の片面のみに備える記録媒体Ｐの両面にそれぞれ画像を印刷する画像記録部１４、および、該画像記録部１４によって画像が印刷された記録媒体Ｐの一方の片面に表面処理を行って一方の片面を光沢化処理された面に仕上げる表面処理部１６を備えるプリンタ１０と、プリンタ１０を制御する画像処理手段３とを備える画像形成装置であって、画像処理手段３は、所定数の記録媒体Ｐの印刷を行うに先立ち印刷パターンを判別し、判別された印刷パターンに応じて記録媒体Ｐの一方の片面と、表面処理部１４の光沢化処理を行うための面とを対向させるように、プリンタ１０の印刷順を制御する。【選択図】図４
2007307855.tif 000002
【特許請求の範囲】
【請求項１】
表面処理によって光沢化処理されるべき面を一方の片面のみに備える記録媒体の両面にそれぞれ画像を印刷する画像記録部、および、該画像記録部によって前記画像が印刷された前記記録媒体の前記一方の片面に前記表面処理を行って前記一方の片面を光沢化処理された面に仕上げる表面処理部を備えるプリンタと、
該プリンタを制御する画像処理手段とを備える画像形成装置であって、
前記画像処理手段は、所定数の前記記録媒体の印刷を行うに先立ち印刷パターンを判別し、判別された印刷パターンに応じて前記記録媒体の前記一方の片面と、前記表面処理部の前記光沢化処理を行うための面とを対向させるように、前記プリンタの印刷順を制御することを特徴とする画像形成装置。
【請求項２】
前記プリンタは、さらに、記録媒体の供給トレイ、記録媒体の反転部、一次定着部、および排出トレイを備え、前記表面処理部の上流において、前記反転部により記録媒体を反転させるように構成されていることを特徴とする請求項１に記載の画像形成装置。
【請求項３】
前記画像処理手段は、印刷用画像データを作成するアプリケーションソフトと、該アプリケーションソフトの指示にしたがって前記プリンタを制御するプリンタドライバとを備えることを特徴とする請求項１又は２に記載の画像形成装置。
【請求項４】
前記印刷パターンは、複数枚の前記記録媒体の全ての表面を光沢化面とし、裏面を通常画質面とする両面印刷パターンであり、前記画像処理手段は、前記プリンタで前記記録媒体の先頭ページ又は最終ページから順次印刷するように制御することを特徴とする請求項１〜３のいずれか１項に記載の画像形成装置。
【請求項５】
前記印刷パターンは、複数枚の前記記録媒体の全ての裏面を光沢化面とし、表面を通常画質面とする両面印刷パターンであり、前記画像処理手段は、前記プリンタで前記記録媒体の先頭ページ又は最終ページから順次印刷するように制御することを特徴とする請求項１〜３のいずれか１項に記載の画像形成装置。
【請求項６】
前記印刷パターンは、複数枚の前記記録媒体の一部は表面又は裏面を光沢化面、反対側の面を通常画質面とし、残りは両面を非光沢面とする両面印刷パターンであり、前記画像処理手段は、前記プリンタで前記記録媒体の先頭ページ又は最終ページから順次印刷するとともに、両面非光沢の前記記録媒体に対して光沢化処理しないように光沢化処理不要情報を付与していることを特徴とする請求項１〜３のいずれか１項に記載の画像形成装置。
【請求項７】
前記印刷パターンは、複数枚の前記記録媒体の全ての表面を光沢化面とし、裏面は印刷をしない片面印刷であり、前記画像処理手段は、前記プリンタで前記記録媒体の先頭ページ又は最終ページから順次片面印刷するように制御することを特徴とする請求項１〜３のいずれか１項に記載の画像形成装置。
【請求項８】
前記印刷パターンは、複数枚の前記記録媒体の全ての表面を非光沢面とした片面印刷であり、前記画像処理手段は、前記プリンタで前記記録媒体の先頭ページ又は最終ページから順次片面印刷するように制御することを特徴とする請求項１〜３のいずれか１項に記載の画像形成装置。
【請求項９】
前記画像処理手段は、前記記録媒体のサイズ切替えおよび標準的な片面印刷又は両面印刷の切替えを行う標準印刷モードと、前記記録媒体の種類、光沢化処理ページの有無および位置を切替える特殊印刷モードとを選択するものであることを特徴とする請求項１〜８のいずれか１項に記載の画像形成装置。
【請求項１０】
前記表面処理部と前記排出トレイとの間に第２反転部を設け、前記画像処理手段は、表裏反転して印刷されたプリント紙を第２反転部において反転させて前記排出トレイに排出するように制御することを特徴とする請求項１〜９のいずれか１項に記載の画像形成装置。
【請求項１１】
前記排出トレイの他に第２排出トレイを設け、前記画像処理装置は、前記プリント紙のうち光沢化処理をしていないページのものを前記第２排出トレイに排出するように制御することを特徴とする請求項１〜９のいずれか１項に記載の画像形成装置。
【請求項１２】
前記供給トレイに前記記録媒体を、その受像層を上側又は下側にして積層し、前記画像処理装置は、前記記録媒体の積層の状態に応じて印刷順序を変更するように制御することを特徴とする請求項１〜１１のいずれか１項に記載の画像形成装置。
【発明の詳細な説明】
【技術分野】
【０００１】
本発明は、表面処理によって写真のような光沢化処理面となる、いわゆる片面フォト紙などの記録媒体を使用し、光沢化処理した印刷面と非光沢化処理の印刷面を有する各種パターンの両面印刷物（以下、プリント紙と称す）の印刷を可能とした画像形成装置に関する。
【背景技術】
【０００２】
従来、基材の片面に熱可塑性樹脂からなる受像層を有する片面フォト紙を記録媒体として使用し、受像層の面に写真等の高画質（高光沢）の画像を印刷し、反対側の面に通常の画質で印刷した、例えば、ポストカードのような両面印刷のプリント紙を作成する画像形成装置がある（例えば、特許文献１参照）。すなわち、熱可塑性樹脂が塗布されている受像層の面に画像を記録し、一次定着した後、二次定着（加熱・加圧・冷却処理）を行うことにより、片面に光沢化処理された高画質の画像を形成するとともに、反対側の面に通常印刷を施すようになっている。
【特許文献１】特開２００３−５５４５号公報
【発明の開示】
【発明が解決しようとする課題】
【０００３】
しかしながら、片面フォト紙を記録媒体として使用して両面印刷する場合、ポストカードのように、高画質面と通常画質面の向きが固定的である定型的なロットのプリント紙の場合は処理できるが、高画質面と通常画質面が混在し、かつその向きも表面側か裏面側か不定の状態で綴じ合わされた、例えば、冊子のようなプリント紙はこのままでは処理することができない。なぜなら、光沢化処理を行う場合、記録媒体の受像層の面を表面処理部（二次定着部）の加熱・加圧・冷却の光沢化処理部に対向させる必要があるが、高画質面と通常画質面がページによって変化するような印刷パターンを有するプリント紙の場合、任意のページの表面側を高画質にしたり通常画質にしたりするような印刷パターンでは、表面処理部の処理部に光沢化処理面を対向させることができなくなるためである。
そのため、従来は、光沢化処理面が同じ方向に向くように複数枚印刷した後、そのプリント紙を手作業で表裏並べ替えて綴じ合わせるという煩雑な作業が必要であった。
【０００４】
本発明は、上記従来技術の問題を解決するもので、表面処理によって光沢化処理されるべき面を一方の片面のみに備える記録媒体に両面印刷する場合に、印刷順序の変更により種々の印刷パターンに対応することができ、効率よく各種パターンのロット印刷を可能にした画像形成装置を提供することを目的とする。
【課題を解決するための手段】
【０００５】
上記目的を達成するために、本発明は、表面処理によって光沢化処理されるべき面を一方の片面のみに備える記録媒体の両面にそれぞれ画像を印刷する画像記録部、および、該画像記録部によって前記画像が印刷された前記記録媒体の前記一方の片面に前記表面処理を行って前記一方の片面を光沢化処理された面に仕上げる表面処理部を備えるプリンタと、該プリンタを制御する画像処理手段とを備える画像形成装置であって、前記画像処理手段は、所定数の前記記録媒体の印刷を行うに先立ち印刷パターンを判別し、判別された印刷パターンに応じて前記記録媒体の前記一方の片面と、前記表面処理部の前記光沢化処理を行うための面とを対向させるように、前記プリンタの印刷順を制御することを特徴とする画像形成装置を提供するものである。
【０００６】
また、本発明は、前記プリンタは、さらに、記録媒体の供給トレイ、記録媒体の反転部、一次定着部、および排出トレイを備え、前記表面処理部の上流において、前記反転部により記録媒体を反転させるように構成されていることが好ましい。
【０００７】
また、本発明は、前記画像処理手段は、印刷用画像データを作成するアプリケーションソフトと、該アプリケーションソフトの指示にしたがって前記プリンタを制御するプリンタドライバとを備えることが好ましい。
【０００８】
また、本発明は、前記印刷パターンは、複数枚の前記記録媒体の全ての表面を光沢化面とし、裏面を通常画質面とする両面印刷パターンであり、前記画像処理手段は、前記プリンタで前記記録媒体の先頭ページ又は最終ページから順次印刷するように制御することが好ましい。
【０００９】
また、本発明は、前記印刷パターンは、複数枚の前記記録媒体の全ての裏面を光沢化面とし、表面を通常画質面とする両面印刷パターンであり、前記画像処理手段は、前記プリンタで前記記録媒体の先頭ページ又は最終ページから順次印刷するように制御することが好ましい。
【００１０】
また、本発明は、前記印刷パターンは、複数枚の前記記録媒体の一部は表面又は裏面を光沢化面、反対側の面を通常画質面とし、残りは両面を非光沢面とする両面印刷パターンであり、前記画像処理手段は、前記プリンタで前記記録媒体の先頭ページ又は最終ページから順次印刷するとともに、両面非光沢の前記記録媒体に対して光沢化処理しないように光沢化処理不要情報を付与していることが好ましい。
【００１１】
また、本発明は、前記印刷パターンは、複数枚の前記記録媒体の全ての表面を光沢化面とし、裏面は印刷をしない片面印刷であり、前記画像処理手段は、前記プリンタで前記記録媒体の先頭ページ又は最終ページから順次片面印刷するように制御することが好ましい。
【００１２】
また、本発明は、前記印刷パターンは、複数枚の前記記録媒体の全ての表面を非光沢面とした片面印刷であり、前記画像処理手段は、前記プリンタで前記記録媒体の先頭ページ又は最終ページから順次片面印刷するように制御することが好ましい。
【００１３】
また、本発明は、前記画像処理手段は、前記記録媒体のサイズ切替えおよび標準的な片面印刷又は両面印刷の切替えを行う標準印刷モードと、前記記録媒体の種類、光沢化処理ページの有無および位置を切替える特殊印刷モードとを選択するものであることが好ましい。
【００１４】
また、本発明は、前記表面処理部と前記排出トレイとの間に第２反転部を設け、前記画像処理手段は、表裏反転して印刷されたプリント紙を第２反転部において反転させて前記排出トレイに排出するように制御することが好ましい。
【００１５】
また、本発明は、前記排出トレイの他に第２排出トレイを設け、前記画像処理装置は、前記プリント紙のうち光沢化処理をしていないページのものを前記第２排出トレイに排出するように制御することが好ましい。
【００１６】
また、本発明は、前記供給トレイに前記記録媒体を、その受像層を上側又は下側にして積層し、前記画像処理装置は、前記記録媒体の積層の状態に応じて印刷順序を変更するように制御することが好ましい。
【発明の効果】
【００１７】
本発明の画像形成装置によれば、表面処理によって光沢化処理されるべき面を一方の片面のみに備える記録媒体を用いて高画質面又は通常画質面を有するプリント紙をロット印刷すする場合に、印刷順序の変更により種々の印刷パターンに対応することができ、これにより、印刷されたプリント紙を綴じ合わせの際並べ替えたりする手間が省け、効率よく各種パターンのロット印刷が可能となる。
【発明を実施するための最良の形態】
【００１８】
以下、本発明の画像形成装置の実施形態について、添付の図面に基づいて詳細に説明する。なお、以下に示す画像形成装置は、片面フォト紙を記録媒体として使用する代表例である。
【００１９】
図１は、本発明の画像形成装置のシステム構成図である。
同図に示すように、本発明の画像形成装置Ａは、アプリケーションソフト１およびプリンタドライバ２を備えた画像処理装置３と、画像を印刷するプリンタ１０とからなる。
アプリケーションソフト１は、画像編集、テンプレート合成、文字入力、光沢又は非光沢指定等を行い、所望の印刷用画像データを作成するものである。プリンタドライバ２は、アプリケーションソフト１の印刷指示に合わせてプリントアウトを行うために、プリンタ１０を制御し、後述する各種パターンの印刷を行うようになっている。
【００２０】
図２は、画像処理装置３の具体例を示すブロック図である。
同図において、画像処理装置３は、ＣＰＵ４０、ＲＯＭ４１，ＲＡＭ（ワークメモリ）４２、ＲＡＭ（画像メモリ）４３、メディアリーダ４４、表示部４５、キーボード又はマウス等の操作部４６、ハードディスク４７、通信インターフェイス（Ｉ／Ｆ）（以下、通信装置という）４８および上記プリンタドライバ２を備えている。
【００２１】
ＣＰＵ４０は、ＲＯＭ４１に格納されているブートプログラムによりオペレーションシステム（ＯＳ）を立ち上げ、このＯＳ上でハードディスク４７に格納されているアプリケーションプログラムを読み出し、ＲＡＭ４２に展開してこれを実行するもので、上記アプリケーションソフト１に対応するものである。メディアリーダ４４は、各種のデータ記録媒体（メディア）から写真画像データや文字画像データなどを読み込み、ＲＡＭ４３に格納するものである。
操作部４６を操作し、写真画像、ハードディスク４７に記録されているテンプレート画像、文字データ等を編集・合成する。こうして作成された画像データは、ＲＡＭ４３に格納される。
【００２２】
印刷指示が出されると、プリンタドライバ２は作成された画像データから印刷データを生成し、通信装置４８からプリンタ１０に出力する。プリンタドライバ２の処理内容は、プリント紙仕上げパターンに応じて適切に選択されるもので、その処理内容の具体例は後述する。
【００２３】
図３は、上記プリンタドライバ２によるプリンタ１０の制御フローを示す。
プリンタドライバ２がＣＰＵ４０によるアプリケーションソフト１から印刷データを受信し（ステップＳ１）、その印刷パターンを解析し（ステップＳ２）、これに基づいて印刷データを作成し（ステップＳ３）、その印刷データをプリンタ１０に出力し（ステップＳ４）、プリンタ１０はその印刷データに基づいて印刷を行う。
【００２４】
図４は、プリンタ１０の全体を示す概念図である。
図４に示すプリンタ１０は、電子写真方式によって記録媒体の両面に画像を形成するものであって、基本的に、第１の供給トレイ１２および第２の供給トレイ１３を備えた記録媒体の供給部１１、画像記録部１４、一次定着ローラ１５、表面処理部（二次定着部）１６、反転部１７、および排出トレイ１８および第２の排出トレイ１９を備えた排紙部２０とを備えている。なお、これらの各部位や各部位間には、特に図示あるいは符号を付していなくても、必要に応じて、搬送ローラ対やガイド部材等の記録媒体の搬送手段や、ジャミングや記録媒体を検出するセンサなどの、公知のプリンタに配される各種の部材を有している。
【００２５】
記録媒体Ｐの供給部１１は、カットシート状の記録媒体Ｐを画像記録部１４に供給する部位で、本実施形態では第１の供給トレイ１２と第２の供給トレイ１３とを有している。本発明においては、記録媒体Ｐは、表面処理によって光沢化処理されるべき面を一方の片面のみに備える記録媒体Ｐ、例えば、紙等からなる基材の片面に熱可塑性樹脂からなる受像層として形成した、いわゆる片面フォト紙が好適に用いられるが、表面処理によって光沢化処理されるべき受像層を一方の片面のみに備える記録媒体Ｐであれば材質は限定されない。この記録媒体Ｐは、後述するように、受像層にトナー像を形成した後、表面処理部１６において樹脂を加熱・加圧及び冷却して光沢化処理を行い、写真プリント紙のように光沢性に優れたプリント紙を作成するようになっている。なお、第１の供給トレイ１２には受像層が上側にある状態、第２の供給トレイ１３には受像層が下側にある状態に記録媒体Ｐを積層している。あるいは、第１の供給トレイ１２には受像層が上側にある状態に積層し、第２の供給トレイ１３には受像層が設けられていない普通紙を積層するような使用形態をとることも可能である。反転部１７は経路２０を介して排出トレイ１９に接続されている。
【００２６】
画像記録部１４は、電子写真によって記録媒体Ｐに画像を形成する部位であって、露光部３０と、一次転写部３１と、現像部３２と、二次転写部３３と、上記一次定着ローラ１５と、反転部１７とからなるものである。
【００２７】
露光部３０は、一次転写部３１の感光体ドラムを露光するもので、光ビームの光源、光偏向器、ｆθレンズ、光路変更用ミラー、光ビーム調整用レンズ等を有する、公知の光ビーム走査光学系であって、画像データに応じて変調した光ビームを出射し、ミラーで反射させて所定の露光位置に入射して、一次転写部３１の感光体ドラムに潜像を記録するものである。
【００２８】
現像部３２は、回転ドラム状の本体３２ａに、Ｃ（シアン）トナー供給部３２Ｃ、Ｍ（マゼンタ）トナー供給部３２Ｍ、Ｙ（イエロー）トナー供給部３２Ｙ、およびＢ（黒）トナー供給部３２Ｋの４つのトナー供給部を回転角９０°の間隔で設けている。
【００２９】
二次転写部３３は、一部を一次転写部３１の感光体ドラムに当接する転写ベルト３４と、転写ベルト３４を張架する３つのローラ３５とを備えている。転写ベルト３４は、トナー像の中間転写体であり、矢印ｂ方向（記録媒体Ｐの搬送方向と同方向）に回転する。
【００３０】
一次転写部３１の感光体ドラムは、図中矢印ａ方向に回転しつつ、帯電手段（図示せず）によって幅方向に一様に帯電され、画像データに応じて変調された光ビームによって走査露光され、静電潜像が形成される。次いで、この静電潜像が、現像部３２の現像位置（一次転写部３１に対面する位置）に位置するトナー供給部、例えばＹトナ給部３２Ｙによって現像され、一次転写部３１の表面にＹトナー像が形成されるようになっている。
【００３１】
一次転写部３１に接している転写ベルト３４は、一次転写部３１の回転と同期して矢印ｂ方向に回転しており、現像部３２によって現像された一次転写部３１のトナー像は、転写ベルト３３に転写される。転写ベルト３４へのトナー像の転写を終了した領域は、クリーニング手段３８によって、残像するトナーが除去される。
【００３２】
図示例においては、このようなトナー像の形成および転写ベルト３４への転写を、Ｙトナー供給部３２Ｙ、Ｍトナー供給部３２Ｍ、Ｃトナー供給部３２Ｃ、およびＢトナー供給部３２Ｂの４つのトナー供給部を、順次作用させて行う。
【００３３】
上述のようにして、Ｙトナー像を転写ベルト３４に転写したら、次いで、現像部３２を９０°回転して、Ｍトナー供給部３２Ｍを現像位置に位置し、転写ベルト３４上のＭトナー像と位置合わせをして、同様に感光体ドラム４６に潜像を形成しＭトナー像を形成して、転写ベルト３４に転写する。以下、同様にして、Ｃトナー像、Ｂトナー像を転写ベルト３４に転写する。このようにして、転写ベルト３４の表面にＹ、Ｍ、ＣおよびＢの各トナー像が、位置合わせして形成され、４色のフルカラー画像が形成されるようになっている。
【００３４】
次に、供給トレイ１２に積層されている片面フォト紙である記録媒体Ｐに画像を記録する動作を説明する。なお、記録媒体Ｐは熱可塑性樹脂からなる受像層が上面にあるように、供給トレイ１２にセットされている例を説明する。
供給トレイ１２からは、所定サイズの記録媒体Ｐが供給され、画像記録部１４の直前で待機している。転写ベルト３４にカラー画像が形成されたら、記録媒体Ｐと転写ベルト３４に形成されたカラー画像との位置が合うように、転写ベルト３４の回転にタイミングを合わせて、記録媒体Ｐの搬送を開始し、転写ベルト３４の表面に形成された４色のカラーのトナー像が記録媒体Ｐの受像層に転写され、記録媒体Ｐの片面に画像が形成される。
【００３５】
画像が形成された記録媒体Ｐは、一次定着ローラ１５に搬送され、転写部３３において画像を転写されたトナー像が形成された記録媒体Ｐを狭持することにより、トナー像を加熱・加圧して一次定着する。
【００３６】
一次定着ローラ１５で画像を定着された記録媒体Ｐは、次いで、表面処理部１６に搬送されて表面処理、すなわち、二次定着される。
表面処理部１６は、加熱・加圧・冷却を行う周知の構成のもので、加熱ローラ４０、加圧ローラ４１および冷却部４２を有し、受像層に画像が記録されて搬送されてきたプリント紙を加熱ローラ４０と加圧ローラ４１で加熱・加圧してその樹脂層を溶融した後冷却部４２で冷却することにより、溶融した透明樹脂層を凝固させ、光沢面を形成する。二次定着が終了した記録媒体Ｐ（プリント紙）は排出トレイ１８に排出される。
【００３７】
記録媒体Ｐの受像層およびその反対側の面に印刷する、両面印刷の場合は反転部１７を利用する。反転部１７は、記録媒体Ｐの両面に画像を記録するために、一次定着ローラ対３６で画像を定着された記録媒体Ｐを、ｃ方向に搬送した後ｄ方向に反転することで表裏反転し、再度、画像記録部１４に供給することにより、記録媒体Ｐの両面に画像を記録するものである。
【００３８】
記録媒体Ｐとして片面フォト紙を使用する場合、最初に画像記録部１４を通過させて受像層に画像を記録した後、反転部１７で表裏反転して再度画像記録部１４を通過させて反対面に印刷し、その状態で表面処理部１６に搬送すると、受像層の印刷面は表面処理部１６の表面処理面（加熱・加圧・冷却面）とは逆向き、すなわち、図１における上向きになり、光沢化処理ができない状態となってしまう。
【００３９】
したがって、片面フォト紙を使用する両面印刷の場合は、以下の手順で印刷を行う。
すなわち、供給トレイ１２から搬送される記録媒体Ｐを最初に反転部１７を通過させることにより反転させ、その状態で画像記録部１４を通過させて受像層と反対側の面に印刷し、一次定着部１５で一次定着した後、再度、反転部１７で反転させ、その状態で画像記録部１４を通過させて受像層に印刷する。そして、そのまま表面処理部１６に搬送することにより、受像層が下側、すなわち、表面処理部１６の加熱・冷却面に対向することになり、光沢化処理が行われる。光沢化処理が終了した記録媒体Ｐは排出トレイ１８に排出される。この場合、光沢化処理面が下側になって排出トレイ１８に積層される。
【００４０】
上記した標準的な両面印刷方法は、例えば、ポストカードのように、光沢化処理がなされた高画質面と、通常画質面が常に同一の向きになって複数枚のロットとして束ねられる場合には有効である。ところが、例えば、ある種の冊子等のように、複数枚の両面印刷された記録媒体Ｐが重ね合わされて閉じられるような場合、高画質面と通常画質面が常に一定の向きにあるとは限らず、高画質面が表面側（上面側）、通常画質面が裏面側（下面側）になっている状態、あるいは高画質面が裏面側（下面側）に通常画質面が表面側（上面側）になっている状態などが混在するパターンとなることが多い。そこで、本発明は、このように、高画質面と通常画質面の配置パターンが変化する場合、後述するような各種パターンに対応した印刷を可能にしたものである。
【００４１】
図５は、記録媒体Ｐとして片面フォト紙（以下、用紙と称す）を使用して、複数枚（本例では４枚）を綴じ合わせる（ロットと称す）場合の、印刷パターンと、プリント仕上げパターンの例を示している。ここに、印刷パターンは、両面か片面印刷かのパターン、および光沢化処理の有無のパターンであり、プリント仕上げパターンは、各用紙の配列パターンを展開状態で示している。各プリント仕上げパターンの欄において、１，２、３、４の数字は用紙番号、星印は光沢化処理されていることを示し、「表」は綴じられた用紙の上側の面、「裏」は下側の面を表すものとする。以下、No.１〜No.９の印刷パターンについて、（ａ）プリンタドライバの処理、（ｂ）プリンタにおける印刷制御方法について説明する。なお、用紙の受像層の面が上側になるように供給トレイ１２に積層されている例を説明する。
【００４２】
No.１：両面印刷、表面光沢化処理
（ａ）プリンタドライバの処理
先頭のページ（用紙１）から順に画像展開する印刷用データを作成し、用紙単位で裏面→表面の順でプリンタ１０に転送する。
（ｂ）印刷制御方法
用紙を反転部１７で反転後、裏面印刷→反転→表面印刷（受像層）→表面処理部１６→排出トレイ１８の順で先頭ページ（用紙１）から用紙２，３，４の順に印刷する（両面印刷での標準制御方法、図４の印刷動作説明参照）。排出トレイ１８には、用紙１から用紙２→３→４のプリント紙が、この順序で光沢化処理面が下向きの状態で積層される（用紙１が一番下側）。
【００４３】
No.２：両面印刷、裏面光沢化処理
（ａ）プリンタドライバの処理
最終ページ（用紙４）から順に画像展開する印刷用データを作成し、用紙単位で表面→裏面の順でプリンタに転送する。
（ｂ）印刷制御方法
用紙を反転部１７で反転後、表面印刷→反転→裏面印刷（受像層）→表面処理部１６→排出トレイ１８の順で最終ページ（用紙４）から用紙３→２→１のプリント紙が、この順序で光沢化処理面が下向きの状態で積層される（用紙４が一番下側）。
【００４４】
No.３：両面印刷、表面光沢化処理と両面非光沢化処理（用紙３）が混在
（ａ）プリンタドライバの処理
先頭ページ（用紙１）から順に画像展開する印刷用データを作成し、用紙単位で裏面→表面の順でプリンタに転送する。光沢化処理不要用紙には光沢化処理不要情報を付与する。
（ｂ）印刷制御方法
用紙１，２、４は、No.１と同様の制御で印刷する。用紙３の両面非光紙は光沢化処理せずに排出トレイ１８に排紙するか又は第２の排出トレイ１９に排紙する。
【００４５】
No.４：両面印刷、裏面光沢化処理と両面非光沢化処理（用紙３）が混在
（ａ）プリンタドライバの処理
最終ページ（用紙４）から順に画像展開する印刷用データを作成し、用紙単位で表面→裏面の順でプリンタに転送する。光沢化処理不要用紙には光沢化処理不要情報を付与する。
（ｂ）印刷制御方法
用紙１，２、４は、No.２と同様の制御で印刷する。用紙３の両面非光紙は光沢化処理せずに、他の用紙とともに排出トレイ１８に排紙するか又は第２の排出トレイ１９に排紙する。
【００４６】
No.５：両面印刷、表裏の光沢化処理面と非光沢化処理面を入れ替えたものが混在
（ａ）プリンタドライバの処理
先頭ページ（用紙１）から順に画像展開する印刷用データを作成し、表面光沢化処理の場合は裏面→表面の順、裏面光沢化処理の場合は表面→裏面の順でプリンタ１０に転送する。
（ｂ）印刷制御方法
用紙１，４は、No.１と同様に用紙を反転部１７で反転後、裏面→表面の順で両面印刷する。用紙２、３はNo.２と同様に用紙を反転部１７で反転後、表面→裏面の順で両面印刷する。表裏反転したプリント紙が混在した状態で排出トレイ１８に排出される。
【００４７】
No.６：両面印刷、両面非光沢紙混在および表裏入れ替え
（ａ）プリンタドライバの処理
先頭ページ（用紙１）から順に画像展開する印刷用データを作成し、表面光沢化処理の場合は裏面→表面の順、裏面光沢化処理の場合は表面→裏面の順でプリンタ１０に転送する。但し、光沢化不要の用紙には、光沢化処理不要情報を付与する。
（ｂ）印刷制御方法
用紙１は、No.１と同様に用紙を反転部１７で反転後、裏面→表面の順で両面印刷する。用紙４はNo.２と同様に用紙を反転部１７で反転後、表面→裏面の順で両面印刷する。表裏反転したプリント紙が混在した状態で排出され、両面非光沢紙は光沢化処理せずに排出される。表裏反転したプリント紙および非光沢プリント紙が混在した状態で排出トレイ１８に排出される。
【００４８】
No.７：片面印刷、全ページ光沢
（ａ）プリンタドライバの処理
先頭ページから順に画像展開する印刷用データを作成し、プリンタに転送する。
（ｂ）印刷制御方法
用紙を供給トレイ１２から引き出し、片面印刷の標準制御方法により順次印刷する。
【００４９】
No.８：片面印刷、全ページ非光沢
（ａ）プリンタドライバの処理
先頭ページから順に画像展開する印刷用データを作成し、プリンタに転送する。このとき、全ページに光沢化処理不要情報を付与する。
（ｂ）印刷制御方法
用紙を供給トレイ１２から引き出し、順次印刷し、光沢化処理せずに排出する。
【００５０】
No.９：片面印刷、光沢と非光沢が混在
（ａ）プリンタドライバの処理
先頭ページから順に画像展開する印刷用データを作成し、プリンタに転送する。このとき、非光沢ページに光沢化処理不要情報を付与する。
（ｂ）印刷制御方法
用紙を供給トレイ１２から引き出し、順次印刷する。非光沢ページは光沢化処理せずに排出する。光沢ページは排出トレイ１８に、非光沢ページは第２の排出トレイ１９に排出することもできる。
【００５１】
図６は、プリンタドライバ２における印刷パターン解析（図３のステップＳ２）の詳細な制御フローを示す図である。
【００５２】
プリンタドライバ２がアプリケーションソフト１から印刷データを受信すると（ステップＳ１）、その印刷データは両面印刷であるか否かを判定し（ステップＳ１２）、両面印刷でなければ全ページ光沢か否かを判定し（ステップＳ１８）、全ページ光沢であれば印刷パターンをNo.７に設定し（ステップＳ２１）、終了する。全ページ光沢でなければ全ページ非光沢か否かを判定し（ステップＳ１９）、全ページ非光沢であれば印刷パターンをNo.８に設定して（ステップＳ２２）、終了し、全ページ非光沢でなければ印刷パターンをNo.９に設定し（ステップＳ２０）、終了する。
【００５３】
ステップＳ１２において、両面印刷と判定すれば、両面光沢ページありか否かを判定し（ステップＳ１３）、両面光沢ページありの場合は印刷不可（片面フォト紙であるので）を設定し（ステップＳ３０）、終了する。
【００５４】
ステップＳ１３で、両面光沢ページなしと判定した場合は、両面非光沢ページありか否かを判定し（ステップＳ１４）、両面光沢ページありの場合は、光沢ページが奇数のみか否かを判定し（ステップＳ２３）、奇数のみの場合は印刷パターンをNo.３に設定（ステップＳ２６）して終了し、奇数のみでない場合は光沢ページが偶数のみか否かを判定し（ステップＳ２４）、偶数のみの場合は印刷パターンをNo.４に設定して（ステップＳ２７）、終了し、偶数のみでない場合は、印刷パターンをNo.６に設定して（ステップＳ２５）、終了する。
【００５５】
ステップＳ１４において、両面非光沢ページがないと判定した場合は、奇数ページ全て光沢か否かを判定し（ステップＳ１５）、ＹＥＳであれば印刷パターンをNo.１に設定し（ステップＳ２８）、終了し、ＮＯであれば偶数ページ全てが光沢か否かを判定し（ステップＳ１６）、ＹＥＳであれば印刷パターンをNo.２に設定し、終了し、ＮＯであれば印刷パターンをNo.５に設定して終了する。
【００５６】
図７および図８は、それぞれ、本発明の画像形成装置におけるプリンタの第２および第３実施形態を示している。
図７に示すように、このプリンタ１０ａは、排出トレイ１８は１個のみとし、反転部１７を表面処理部１６の出口部２１に接続し、この出口部２１と排出トレイ１８との間に第２反転部５０を設けたものである。
また、図８に示すように、このプリンタ１０ｂは、排出トレイ１８は１個のみとし、反転部１７を表面処理部１６の出口部２１に接続し、この出口部２１に第２反転部５１を設けたものである。
【００５７】
上述のように、片面フォト紙を用いる両面印刷では、星印の光沢化処理面が下側になって排出トレイ１８に排出されるので、図５に示す、印刷パターンNo.５およびNo.６の表裏入替えパターンの印刷では、１ロット（例えば冊子等）中に表裏が逆向きになったページのプリント紙が混在する。例えば、No.５では、ページ１と４が正方向であるとすると、ページ２と３は逆向きであり、No.６では、ページ１が正方向であるとすると、ページ４は逆向きである。
【００５８】
第２、第３実施形態は、これを回避するため、第２反転部５０，５１を利用して、逆向きのページのプリント紙を反転するものである。すなわち、プリンタドライバ２は、逆向きのページのプリント紙を、第２反転部５０又は５１で表裏反転させて排出トレイ１８に排出するようにプリンタ１０を制御する。これにより、実際に綴じ合わされるパターンで排出トレイ１８に積層することができる。
以上、本発明の画像形成装置にいて詳細に説明したが、本発明は前記実施例に限定はされず、本発明の要旨を逸脱しない範囲において各種の改良や変更を行ってもよいのは、もちろんである。
【図面の簡単な説明】
【００５９】
【図１】本発明の画像形成装置のシステム構成図である。
【図２】画像処理装置のブロック図である。
【図３】上記プリンタドライバによるプリンタの制御フローを示すフローチャートである。
【図４】プリンタの全体を示す概念図である。
【図５】各種印刷パターンとプリント紙仕上げパターンの例を示す図である。
【図６】プリンタドライバにおける印刷パターン解析のフローチャートである。
【図７】本発明の画像形成装置におけるプリンタの第２実施形態を示す概念図である。
【図８】本発明の画像形成装置におけるプリンタの第３実施形態を示す概念図である。
【符号の説明】
【００６０】
１  アプリケーションソフト
２  プリンタドライバ
３  画像処理装置（画像処理手段）
１０  プリンタ
１１  供給部
１２第１の供給トレイ
１３  第２の供給トレイ
１４  画像記録部
１６  二次定着部（表面処理部）
１７  反転部
１８  排出トレイ
１９  第２排出トレイ
５０，５１  第２の反転部
Ｐ  記録媒体Ｐ
【図１】
2007307855.tif 000003
【図２】
2007307855.tif 000004
【図３】
2007307855.tif 000005
【図４】
2007307855.tif 000006
【図５】
2007307855.tif 000007
【図６】
2007307855.tif 000008
【図７】
2007307855.tif 000009
【図８】
2007307855.tif 000010